(57)【要約】【課題】  画像データの増大に伴う消費電力やＥＭＩ雑音の増大を抑制することが可能な液晶表示装置及び液晶駆動半導体装置を提供する。【解決手段】  画像データ転送開始信号と画像データ転送クロックの発生、及び画像データの並べ替え機能を有する液晶コントローラ１１と、画像データ転送クロックより周期の長い内部画像データ転送クロックを発生させて、出力に適する順番に配列した再配列画像データを作成する複数個からなるソースドライバ２１と、液晶コントローラ１１からそれぞれのソースドライバ２１に、画像データ転送開始信号、画像データ転送クロック、及び画像データを直接供給する信号線１５〜１７と、ソースドライバ２１の順位及び個数を特定するための選択信号をソースドライバ２１へ供給する選択信号供給手段３１とを有する。【選択図】  図１
2006106330.tif 000002
【特許請求の範囲】
【請求項１】
画像データ転送開始信号と画像データ転送クロックの発生、及び画像データの並べ替え機能を有する液晶コントローラと、
前記画像データ転送クロックより周期の長い内部画像データ転送クロックを発生させて、出力に適する順番に配列した再配列画像データを作成する複数個からなる液晶駆動装置と、
前記液晶コントローラからそれぞれの前記液晶駆動装置に、前記画像データ転送開始信号、前記画像データ転送クロック、及び前記画像データを直接供給する信号線と、
前記液晶駆動装置の順位及び個数を特定するための選択信号を前記液晶駆動装置へ供給する選択信号供給手段と
を有することを特徴とする液晶表示装置。
【請求項２】
前記内部画像データ転送クロックの周波数は、前記液晶駆動装置の前記個数分の１であり、前記再配列画像データは前記内部画像データ転送クロックに同期した転送レートで転送されることを特徴とする請求項１に記載の液晶表示装置。
【請求項３】
前記液晶コントローラは、前記液晶駆動装置に、前記液晶駆動装置の個数に相当する周期で、１個ずつの前記画像データの配分がなされるように、前記画像データを配列することを特徴とする請求項１または２に記載の液晶表示装置。
【請求項４】
順位及び個数を特定するための選択信号、画像データ転送クロック及び画像データ転送開始信号が転送され、前記画像データ転送クロックを基に、内部画像データ転送開始信号及び前記画像データ転送クロックの前記個数倍の周期の内部画像データ転送クロックを発生させる制御信号構成手段と、
所定の配列がなされた前記画像データが転送され、前記画像データを前記内部画像データ転送クロックに基づいて分配して転送する画像データ分配手段と、
前記内部画像データ転送開始信号及び前記内部画像データ転送クロックから、前記順位の前記画像データを取得するサンプリング信号を発生させて、転送するシフトレジスタと、
前記シフトレジスタから転送される前記サンプリング信号に基づいて、前記画像データ分配手段から送られる分配された画像データを受け取って、出力に適する順に配列した再配列画像データを記憶するデータレジスタと、
前記データレジスタの前記再配列画像データを受け取って、処理して、アクティブマトリクス型の液晶パネルに出力するデータ出力手段と
を有することを特徴とする液晶駆動半導体装置。
【請求項５】
前記内部画像データ転送開始信号は、前記画像データ転送開始信号より前記順位に相当するクロック周期だけ遅延させることを特徴とする請求項４に記載の液晶駆動半導体装置。
【発明の詳細な説明】
【技術分野】
【０００１】
本発明は、アクティブマトリクス型の液晶表示装置及び液晶表示装置を駆動する半導体装置に関する。
【背景技術】
【０００２】
液晶表示装置に代表されるマトリクス型液晶表示装置は、薄型、軽量、低消費電力等の特徴を有することから、パーソナルコンピュータ、ＴＶあるいはゲーム機等の表示装置として、幅広く利用されている。なかでも、画素毎にスイッチング素子を設けたアクティブマトリクス型表示装置は、隣接画素間のクロストークが少なく、鮮明な画像が得られるため、高精細化、高画質化あるいは大型化に向けた開発が続けられている。
【０００３】
アクティブマトリクス型表示装置の高精細化、高画質化あるいは大型化に伴い、転送すべき画像データ量が増加の一途を辿っている。表示周期は、表示装置を見る人間の目の特性によりほぼ決められるので、画像データ量の増加は、転送速度の高速化によって解決する方法が採られることが多い。転送速度を高速化するために、画像データ転送用クロックの周波数を高くすることになる。周波数を高くすると、表示装置を駆動する半導体装置等の消費電流の増加、すなわち消費電力の増加が顕著になる。
【０００４】
この問題を解決するために、例えば、クロック信号（画像データ転送クロック）に基づき色信号（画像）データを奇数番目データと偶数番目データとに夫々分離して入力保持する第１、第２入力手段と、このクロック信号を１／２に分周する分周手段と、この分周手段で分周された１／２クロックを動作周波数とするシフトレジスタ手段と、このシフトレジスタ手段からの出力信号に基づいて前記第１、第２入力手段にそれぞれ保持された色信号データを同時にラッチするラッチ手段と、このラッチ手段から伝送されたデジタルの色信号データをアナログ信号に変換させて出力するデジタル／アナログ変換手段と、このデジタル／アナログ変換手段の出力信号をＬＣＤ（液晶）パネルに出力する出力バッファ手段とを備えたＬＣＤパネルの駆動電圧供給回路が開示されている（例えば、特許文献１参照。）。
【０００５】
この提案によれば、液晶駆動半導体装置は、画像データ転送用クロックを１／２に分周してクロックを生成するために、出力信号の周期が２倍となり、消費電力及びＥＭＩ（Electromagnetic Interference、電磁障害）雑音を低減できると考えられる。しかしながら、クロック周波数が１／２、すなわち周期が２倍になる程度の効果にとどまり、画像データの更なる増大に伴う消費電力やＥＭＩ雑音の増大に対処しきれないという問題が生じている。
【特許文献１】特開平１０−２３２６５６号公報（第３、４ページ、第１図）
【発明の開示】
【発明が解決しようとする課題】
【０００６】
本発明は、画像データの増大に伴う消費電力やＥＭＩ雑音の増大を抑制することが可能な液晶表示装置及び液晶駆動半導体装置を提供する。
【課題を解決するための手段】
【０００７】
本発明の一態様の液晶表示装置は、画像データ転送開始信号と画像データ転送クロックの発生、及び画像データの並べ替え機能を有する液晶コントローラと、前記画像データ転送クロックより周期の長い内部画像データ転送クロックを発生させて、出力に適する順番に配列した再配列画像データを作成する複数個からなる液晶駆動半導体装置と、前記液晶コントローラからそれぞれの前記液晶駆動半導体装置に、前記画像データ転送開始信号、前記画像データ転送クロック、及び前記画像データを直接供給する信号線と、前記液晶駆動半導体装置の順位及び個数を特定するための選択信号を前記液晶駆動半導体装置へ供給する選択信号供給手段とを有することを特徴とする。
【０００８】
また、本発明の別の態様の液晶駆動半導体装置は、順位及び個数を特定するための選択信号、画像データ転送クロック及び画像データ転送開始信号が転送され、前記画像データ転送クロックを基に、内部画像データ転送開始信号及び前記画像データ転送クロックの前記個数倍の周期の内部画像データ転送クロックを発生させる制御信号構成手段と、所定の配列がなされた前記画像データが転送され、前記画像データを前記内部画像データ転送クロックに基づいて分配して転送する画像データ分配手段と、前記内部画像データ転送開始信号及び前記内部画像データ転送クロックから、前記順位の前記画像データを取得するサンプリング信号を発生させて、転送するシフトレジスタと、前記シフトレジスタから転送される前記サンプリング信号に基づいて、前記画像データ分配手段から送られる分配された画像データを受け取って、出力に適する順に配列した再配列画像データを記憶するデータレジスタと、前記データレジスタの前記再配列画像データを受け取って、処理して、アクティブマトリクス型の液晶パネルに出力するデータ出力手段とを有することを特徴とする。
【発明の効果】
【０００９】
本発明によれば、画像データの増大に伴う消費電力やＥＭＩ雑音の増大を抑制することが可能な液晶表示装置及び液晶駆動半導体装置を提供することができる。
【発明を実施するための最良の形態】
【００１０】
図５は従来の液晶表示装置の模式的な構成図、図６は従来の液晶表示装置に使用されるソースドライバの模式的な構成図、図７は従来の液晶表示装置の液晶コントローラからソースドライバへの画像データ転送タイミングチャート、図８は従来のソースドライバで行われる画像データ転送タイミングチャートである。なお、図面において、括弧で示した符号は、それぞれのデータあるいは信号が通る信号線の符号である。
【００１１】
まず、図５に示すように、従来の液晶表示装置１０１は、主構成要素に、外部から転送された入力データ１０を受けて、画像データ転送開始信号及び画像データ転送クロックを発生させ、画像データを転送する液晶コントローラ１１１と、画像データ、画像データ転送開始信号及び画像データ転送クロックを受けて、出力に適する順番に分配した画像データを作成する複数（ｍ：任意の整数）個からなるソースドライバ１２１−１、１２１−２、・・１２１−ｍ（以下、区別して述べる必要がない場合は−１、−２、・・−ｍ等の符号は省略する。他の構成要素についても同様。）と、液晶コントローラ１１１からそれぞれのソースドライバ１２１に、前記画像データ転送クロック及び前記画像データを直接的に供給する画像データバス１１７及び画像データ転送クロック線１６と、液晶コントローラ１１１からソースドライバ１２１−１に画像データ転送開始信号を供給する画像データ転送開始信号線１５と、画像データ転送開始信号をソースドライバ１２１間で順にカスケード接続して転送する渡り配線１６１−１、１６１−２、・・１６１−ｍ−１と、ソースドライバ１２１から転送される液晶パネル出力信号２９により表示可能となるアクティブマトリクス型の液晶パネル４１とを有する。
【００１２】
なお、入力データ１０の内の画像データは、液晶コントローラ１１１において、画像データメモリ１２に収納され、画像データ読出手段１３を経て、画像データバス１１７に供給される。
【００１３】
次に、図６に示すように、ソースドライバ１２１は、主構成要素に、画像データ転送開始信号及び画像データ転送クロックから、画像データを取り込むサンプリング信号を発生させて、転送するシフトレジスタ１５３と、シフトレジスタ１５３から転送されるサンプリング信号に基づいて、液晶コントローラ１１１から送られる画像データを、出力順に配列した再配列画像データとして記憶させるデータレジスタ５４と、データレジスタ５４の再配列画像データを処理して、アクティブマトリクス型の液晶パネル４１に出力するデータ出力手段５５とを有している。
【００１４】
また、ソースドライバ１２１は、例えば、フリップフロップ構成のシフトレジスタ１５３で遅延させた画像データ転送開始信号を、渡り配線１６１を介して、カスケード接続される隣接のソースドライバ１２１に出力する構成となっている。なお、カスケード接続されるソースドライバ１２１−２、・・１２１−ｍは、ソースドライバ１２１と全く同様な構成をなしており、画像データ転送開始信号線１５を渡り配線１６１と読み替えることによって、接続の方法が説明できる。
【００１５】
図７を加えて、液晶表示装置１０１の液晶コントローラ１１１からソースドライバ１２１への画像データ転送タイミング、及びソースドライバ１２１での画像データ転送開始信号発生のタイミングを説明する。液晶パネル４１の画面のスキャンに応じて、図５の図面左右方向に形成されたゲート信号線４３に沿った１ライン分のデジタル画像データを、画像データ転送クロックに同期して画像データバス１１７を介してソースドライバ１２１へ取り込む。
【００１６】
例えば、画像データ転送開始信号の高レベルの部分に、画像データ転送クロックの立ち上がりを合わせて、画像データ転送を行う。画像データ転送クロックの立ち上がりから１周期遅らせて、画像データＳ１１がソースドライバ１２１−１に取り込まれる。なお、「Ｓ１１」の意味するところは、最初の「Ｓ１」が順位１のソースドライバ１２１−１に取り込まれるべき画像データを示し、次の「１」が画像データ１〜ｎの中の１番目の１個のデータを示す。ここで、１個とは、１画素に供給する画像データを示す。以下、ソースドライバ１２１−１に、順次、画像データ転送クロックの１周期毎に１個ずつの画像データを取り込み、最後のｎ番目（Ｓ１ｎ）になるまで繰り返す。
【００１７】
次に、ソースドライバ１２１−１が取り込むべき最後の画像データの時に、ソースドライバ１２１−１は、画像データ転送開始信号を、渡り配線１６１−１を介して、次に接続されるソースドライバ１２１−２に出力する。この画像データ転送開始信号から１周期遅らせて、画像データＳ２１がソースドライバ１２１−２に取り込まれる。以下同様にして、最後のソースドライバ１２１−ｍに最後の画像データＳｍｎを取り込んで、１ライン分の画像データ転送を終了する。
【００１８】
図８を加えて、ソースドライバ１２１で行われる画像データ転送タイミングチャートを説明する。ソースドライバ１２１−１は、画像データ転送クロックと同じ周波数を使用して、シフトレジスタ１５３でサンプリング信号を発生させ、画像データをデータレジスタ５４にラッチする。例えば、上述したように、画像データ転送クロックの立ち上がりから１周期遅らせて、ソースドライバ１２１−１に取り込まれた画像データＳ１１は、シフトレジスタ１５３で発生させたサンプリング信号の立ち上がりに合わせて、データレジスタ５４に取り込まれる。
【００１９】
次に、画像データ転送クロックの１周期遅れのサンプリング信号に合わせて、画像データＳ１２はデータレジスタ５４に取り込まれ、以下同様に、最後の画像データＳ１ｎまでデータレジスタ５４に取り込まれる。この結果、データレジスタ５４には、液晶パネル４１の表示に必要な画像データがＳ１１、Ｓ１２、・・Ｓ１ｎの順に配列された画像データとして蓄積される。最後の画像データＳ１ｎの時、図７に示すタイミングで画像データ転送開始信号が発せられ、その後は、次のソースドライバ１２１−２で、同様に画像データをデータレジスタ５４にラッチする。
【００２０】
以上、従来の液晶表示装置１０１及びソースドライバ１２１で行われている画像データの転送は、液晶コントローラ１１１から転送される画像データ転送クロックに基づいて行われている。例えば、背景技術に示したように、画像データ転送クロック周期を２倍にすることは可能である。一方、ソースドライバ１２１は、画像データ転送開始信号をカスケード接続して転送しているため、カスケード接続のための渡り配線１６１からのＥＭＩ雑音は低減できない。液晶表示装置の飛躍的な高精細化、高画質化、あるいは大型化等を実現して、消費電力やＥＭＩ雑音の増大を抑制するために、取り込まれる画像データの配列あるいはカスケード接続の有効性等を検討し直して、本発明の液晶表示装置及び液晶駆動半導体装置を得た。
【００２１】
以下、本発明の実施例について、図面を参照しながら説明する。なお、図において、同一の構成要素には同一の符号を付す。
【実施例】
【００２２】
本発明の実施例に係る液晶表示装置及び液晶駆動半導体装置について、図１乃至図４を参照して説明する。図１は液晶表示装置の模式的な構成図、図２は液晶表示装置に使用される液晶駆動装置あるいは液晶駆動半導体装置であるソースドライバの模式的な構成図、図３は液晶表示装置で行われる液晶コントローラからソースドライバへの画像データ転送タイミングチャート、図４は２番目のソースドライバの中で行われる画像データ転送タイミングチャートである。なお、図面において、括弧で示した符号は、それぞれのデータあるいは信号が通る信号線の符号である。
【００２３】
まず、図１に示すように、液晶表示装置１は、主構成要素に、画像データの並べ替え機能を有する液晶コントローラ１１と、複数（ｍ）個あるソースドライバ２１の順位及び個数を認識するための選択信号を与える選択信号供給手段３１と、液晶コントローラ１１から転送される配列された画像データ、画像データ転送開始信号及び画像データ転送クロックを、接続されるそれぞれのソースドライバ２１に直接的に接続して供給する信号線である画像データバス１７、画像データ転送開始信号線１５及び画像データ転送クロック線１６とを有する。
【００２４】
更に、液晶表示装置１は、主構成要素に、液晶コントローラ１１を介して供給される画像データと画像データ転送開始信号と画像データ転送クロック、及び、選択信号供給手段３１から選択信号線３２を介して供給される選択信号に基づいて、出力に適する順番に配列した液晶パネル出力信号２９を作成する複数個からなるソースドライバ２１と、ソースドライバ２１から供給される液晶パネル出力信号２９により表示可能となるアクティブマトリクス型の液晶パネル４１とを有する。
【００２５】
入力データ１０の内の画像データは、液晶コントローラ１１において、画像データメモリ１２に収納され、画像データ読出手段１３を経て、画像データ並べ替え手段１４で所望の順番に並べ替えられる。並べ替えられた画像データは、画像データバス１７に供給される。
【００２６】
ソースドライバ２１の順位を特定するために入力する選択信号は、例えば、ソースドライバ２１の設定端子（図示略）として用意し、ソースドライバ２１がＴＣＰ（Tape Carrier Package）製造される時や液晶パネルとして組み立てられる時に、電源やグラウンドに配線される選択信号線３２を介して選択信号供給手段３１から設定することができる。あるいは、選択信号は、例えば、液晶コントローラ１１から、初期設定データとして、ソースドライバ２１へ既存の信号線等を介して転送して設定することが可能である。従って、選択信号供給手段３１または選択信号線３２は、独立した回路あるいは配線として液晶表示装置１に配設される必要は必ずしもない。
【００２７】
また、液晶表示装置１において、液晶コントローラ１１は、外部から転送された入力データ１０を取り込み、画像データ、画像データ転送開始信号及び画像データ転送クロック等のソースドライバ制御信号をソースドライバ２１へ出力する他、ゲート制御信号１９をゲートドライバ（図示略）へ出力する。例えば、ＴＦＴ（Thin Film Transistor、薄膜トランジスタ）を構成要素とする液晶パネル４１は、ソースドライバ２１に接続され、図面上下方向に形成されたソース信号線４２、及びゲートドライバ（図示略）に接続され、図面左右方向に形成されたゲート信号線４３で概略的に構成されている。なお、上記各ドライバへ電源を供給する電源供給手段等が必要であるが、図１では省略されている。
【００２８】
次に、図２に示すように、ソースドライバ２１は、主構成要素に、画像データ転送クロック及び画像データ転送開始信号が入力され、画像データ転送クロックを基に、内部画像データ転送開始信号及び選択信号として与えられたソースドライバ２１の個数倍の周期の内部画像データ転送クロックを発生させる制御信号構成手段５１と、所定の配列がなされた画像データが転送され、前記画像データを内部画像データ転送クロックに基づいて分配して転送する画像データ分配手段５２とを有している。
【００２９】
更に、ソースドライバ２１は、主構成要素に、内部画像データ転送開始信号及び内部画像データ転送クロックから、選択信号で与えられる順位の画像信号を取得するサンプリング信号を発生させて転送する、例えば、フリップフロップ構成のシフトレジスタ５３と、シフトレジスタ５３から転送されるサンプリング信号に基づいて、画像データ分配手段５２から送られる画像データを受け取って、出力に適する順に配列した再配列画像データとして記憶させるデータレジスタ５４と、データレジスタ５４の再配列画像データを受け取って、処理して、アクティブマトリクス型の液晶パネル４１に出力するデータ出力手段５５とを有している。
【００３０】
データ出力手段５５は、例えば、データレジスタ５４に記憶された画像データを１ライン単位でラッチし、この画像データをレベルシフトする第２のデータレジスタ（図示略）、第２のデータレジスタから出力される画像データを電圧値に変えるＤ／Ａコンバータ（図示略）、及びＤ／Ａコンバータからの出力を液晶パネル４１のソース信号線４２に供給する出力バッファ（図示略）等から構成されている。なお、ソースドライバ２１に必要な電源、データレジスタ等をリセットするデータラッチパルス等は、図２では省略されている。
【００３１】
次に、図３を加えて、液晶表示装置１で行われる液晶コントローラ１１からソースドライバ２１への画像データ転送タイミング、及びソースドライバ２１での内部画像データ転送開始信号及び内部画像データ転送クロック発生のタイミングを説明する。なお、クロック周期は、断りのない限り、液晶コントローラ１１から転送される画像データ転送クロックの周期のことである。液晶パネル４１の画面のスキャンに応じて、図１の左右方向に形成されたゲート信号線４３に沿った１ライン分のデジタル画像データを、画像データ転送クロックに同期して画像データバス１７を介してソースドライバ２１へ取り込む。
【００３２】
まず、このデジタル画像データの配列について説明する。従来、１ライン分のデジタル画像データは、例えば、図７に示すように、複数個あるソースドライバ１２１毎に連続して取り込むことができるように、第１番目のソースドライバ１２１−１用のｎ個をＳ１１、Ｓ１２、・・Ｓ１ｎの順に並べ、その後に、第２番目のソースドライバ１２１−２用のｎ個をＳ２１、Ｓ２２、・・Ｓ２ｎの順に並べ、以下同様に配列して、最後の第ｍ番目のソースドライバ１２１−ｍ用のｎ個をＳｍ１、Ｓｍ２、・・Ｓｍｎの順に並べて供給されていた。
【００３３】
しかしながら、本実施例の画像データは、液晶コントローラ１１の画像データ並べ替え手段１４で並べ替えられてソースドライバ２１に供給される。図３に示すように、画像データは、例えば、従来と同様な順に並べて供給された画像データを、画像データ並べ替え手段１４で、ｍ個あるソースドライバ２１のそれぞれの第１番目に取り込まれるｍ個の画像データの順に、すなわちソースドライバ２１の順にＳ１１、Ｓ２１、・・Ｓｍ１と配列される。次に、ｍ個あるソースドライバ２１のそれぞれの第２番目に取り込まれるｍ個の画像データは、ソースドライバ２１の順にＳ１２、Ｓ２２、・・Ｓｍ２と配列され、以下同様に配列して、ｍ個あるソースドライバ２１のそれぞれの最後の第ｍ番目に取り込まれるｍ個の画像データは、ソースドライバ２１の順にＳ１ｎ、Ｓ２ｎ、・・Ｓｍｎと配列されて、液晶コントローラ１１から供給される。
【００３４】
次に、図３に示すように、画像データ転送開始信号及び画像データ転送クロックを基に、制御信号構成手段５１で発生させた内部画像データ転送開始信号及び内部画像データ転送クロックがソースドライバ２１内部の画像データの転送の基準として使用される。選択信号として与えられた順位１のソースドライバ２１−１では、内部画像データ転送開始信号は、液晶コントローラ１１からの画像データ転送開始信号を基に、例えば、１クロック周期遅らせて発生させる。順位２のソースドライバ２１−２では、内部画像データ転送開始信号は、２クロック周期遅らせて発生させ、以下同様に、最後の順位ｍのソースドライバ２１−ｍでは、ｍクロック周期遅らせて発生させる。
【００３５】
内部画像データ転送クロックは、例えば、内部画像データ転送開始信号が高レベル且つ、画像データ転送クロックの立ち上がりに合わせて、高レベルとなる。繰返し周期は、選択信号として与えられたソースドライバの個数ｍに相当するｍ倍としてある。
【００３６】
そして、例えば、画像データ転送開始信号から１クロック周期遅れた内部画像データ転送開始信号の高レベルの部分、すなわち、内部画像データ転送クロックの立ち上がりに合わせて、ソースドライバ２１−１が画像データＳ１１を取り込む。次に、画像データ転送開始信号から２クロック周期遅れた内部画像データ転送クロックの立ち上がりに合わせて、ソースドライバ２１−２が画像データＳ２１を取り込む。以下同様に、ソースドライバ２１−ｍが画像データＳｍ１を取り込む。その後、ｍ倍の周期で発せられる内部画像データ転送クロックの立ち上がりに合わせて、ソースドライバ２１−１が画像データＳ１２を取り込む。以下同様に、順次取り込み、最後に、ソースドライバ２１−ｍが画像データＳｍｎを取り込み、１ライン分のデータ転送が終了する。
【００３７】
次に、図４を加えて、例えば、２番目のソースドライバ２１−２で行われる画像データ転送タイミングを説明する。概略的には、内部画像データ転送クロックの立ち上がりに合わせて、画像データを画像データ分配手段５２でラッチし、再配列画像データバス２６を介してデータレジスタ５４へ出力する。詳しくは、ソースドライバ２１−２の中のシフトレジスタ５３は、例えば、上述したタイミングで発生させた内部画像データ転送クロックの立ち下がりに同期して、高レベルとなる。内部画像データ転送クロックの１クロック周期（画像データ転送クロックのｍクロック周期に相当）後に立ち下がるサンプリング信号を発生させる。このサンプリング信号の立ち上がりに合わせて、再配列画像データＳ２１をデータレジスタ５４にラッチする。
【００３８】
次に、シフトレジスタ５３は、内部画像データ転送クロックの１クロック周期遅れ、すなわち、次の内部画像データ転送クロックの立ち上がりに合わせて、画像データ分配手段５２で画像データＳ２２をラッチし、立ち下がるタイミングで、サンプリング信号を発生させ、画像データＳ２２をデータレジスタ５４にラッチする。以下同様に、内部画像データ転送クロックの１クロック周期毎に発生するシフトレジスタ５３のサンプリング信号に合わせて、最後の画像データＳ２ｎをデータレジスタ５４にラッチする。この結果、データレジスタ５４には、液晶パネル４１に必要な画像データが、Ｓ２１、Ｓ２２、・・Ｓ２ｎの順に配列された再配列画像データが蓄積される。
【００３９】
この後、データレジスタ５４の再配列画像データは、データ出力手段５５で処理されて、液晶パネル出力信号２９として、液晶パネル４１のソース信号線４２に供給される。なお、本実施例では、クロックの立ち上がりを主なトリガエッジとして使用する例を説明したが、反転した立ち下がりを主なトリガエッジとしても差し支えない。
【００４０】
上述したように、本実施例では、液晶コントローラ１１に画像データを並べ替える機能を持たせて、並べ替えた画像データを画像データ転送開始信号及び画像データ転送クロックと共に、複数（ｍ）個のソースドライバ２１に共通に直接供給する。ｍ×ｎ個の画像データは、順番を付けたｍ個のソースドライバ２１に、それぞれ１個ずつ配られ、次に、１番目のソースドライバ２１に戻るという繰り返しで、最後のｍ×ｎ番目の画像データをｍ番目のソースドライバ２１に配られるように並べ替えられている。
【００４１】
この画像データ、画像データ転送開始信号及び画像データ転送クロックをそれぞれの信号線を介して送られたソースドライバ２１では、画像データ転送開始信号より、制御信号構成手段５１から与えられた順位に相当するクロック周期だけ遅れた内部画像データ転送開始信号を発生させ、また、制御信号構成手段５１から与えられたソースドライバ２１の個数ｍに基づき、画像データ転送クロックのｍ倍の周期の内部画像データ転送クロックを発生させる。内部画像データ転送開始信号及び内部画像データ転送クロックを基準として、送られてきた画像データを、選択信号で与えられた順位に位置する画像データをデータレジスタ５４に蓄積する。この画像データの配列は、液晶パネル４１に必要な再配列画像データとなっている。
【００４２】
本実施例のソースドライバ２１及びソースドライバ２１を搭載する液晶表示装置１の評価を行った。ソースドライバ２１は、ｍ＝８として８倍の周期で動作させると、同条件の従来のソースドライバと比較して、消費電力は約１／３となることが分かった。主因は、内部画像データ転送クロックの８倍周期化による消費電流の大幅な低減である。このソースドライバ２１を搭載した液晶表示装置１も消費電力が大きく減少した。
【００４３】
また、本実施例のソースドライバ２１及びソースドライバ２１を搭載する液晶表示装置１は、ＥＭＩ雑音を低減することができた。主因は、周波数を１／８に下げることができたことにより、特に高周波方向に広がった高調波成分を大幅に低減することが可能となったためである。また、消費電力の減少は、ＥＭＩ雑音の大きさを減少させることに寄与している。更に、液晶表示装置１では、従来、使用していたカスケード接続のための渡り配線を不要とする構成に変更できたため、ＥＭＩ雑音の放出源が減り、ＥＭＩ雑音を低減すことが可能となったと考えられる。
【００４４】
また、液晶表示装置１に必要な一定性能を満たすソースドライバ２１を作製するのであれば、ソースドライバ２１の動作速度を遅くできるために、相対的に低速対応の半導体プロセスを適用することが可能となる。すなわち、半導体プロセスの工程短縮あるいは歩留まり向上が可能となり、ソースドライバ２１のコストの低減、そして、液晶表示装置１のコストの低減が可能となる。逆に、一定の半導体プロセスを使用することにすれば、増加した画像データを処理することができるソースドライバ２１、そして、液晶表示装置１を作製することが可能となる。すなわち、液晶表示装置１の高精細化、高画質化、あるいは大型化等を実現できることになる。
【００４５】
以上説明したように、消費電力やＥＭＩ雑音を抑制することが可能な液晶表示装置及びソースドライバ（液晶駆動半導体装置）を提供することができる。特に、今後、液晶表示装置の飛躍的な高精細化、高画質化、あるいは大型化等を実現する場合、すなわち、予想される画像データの増大に対処する場合、好適な液晶表示装置及び液晶駆動半導体装置となる。
【００４６】
本発明は、上述した実施例に限定されるものではなく、本発明の要旨を逸脱しない範囲内で、種々、変形して実施することができる。
【００４７】
本発明は、以下の付記に記載されているような構成が考えられる。  
（付記）画像データ転送クロックを発生させ、画像データの並べ替え機能を有する液晶コントローラと、前記液晶コントローラに接続されて、前記画像データ転送クロックより周期の長い内部画像データ転送クロックを発生させて、出力に適する順番に配列した再配列画像データを作成する複数個からなる液晶駆動半導体装置とを有する液晶表示装置。
【図面の簡単な説明】
【００４８】
【図１】本発明の実施例に係る液晶表示装置の模式的な構成図。
【図２】本発明の実施例に係るソースドライバの模式的な構成図。
【図３】本発明の実施例に係る液晶表示装置の液晶コントローラからソースドライバへの画像データ転送タイミングチャート。
【図４】本発明の実施例に係るソースドライバの中での画像データ転送タイミングチャート。
【図５】従来の液晶表示装置の模式的な構成図。
【図６】従来のソースドライバの模式的な構成図。
【図７】従来の液晶表示装置の液晶コントローラからソースドライバへの画像データ転送タイミングチャート。
【図８】従来のソースドライバの中での画像データ転送タイミングチャート。
【符号の説明】
【００４９】
１、１０１  液晶表示装置
１０  入力データ
１１、１１１  液晶コントローラ
１２  画像データメモリ
１３  画像データ読出手段
１４  画像データ並べ替え手段
１５  画像データ転送開始信号線
１６  画像データ転送クロック線
１７、１１７  画像データバス
１９  ゲート制御信号
２１、２１−１、２１−２、２１−ｍ、１２１、１２１−１、１２１−２、１２１−ｍ  ソースドライバ
２４  内部画像データ転送開始信号線
２５  内部画像データ転送クロック線
２６  再配列画像データバス
２９、２９−１、２９−２、２９−ｍ  液晶パネル出力信号
３１  選択信号供給手段
３２  選択信号線
３５−１、３５−２、３５−ｎ、１３５−１、１３５−２、１３５−ｎ  サンプリング信号線
４１  液晶パネル
４２  ソース信号線
４３  ゲート信号線
５１  制御信号構成手段
５２  画像データ分配手段
５３、１５３  シフトレジスタ
５４  データレジスタ
５５  データ出力手段
１６１−１、１６１−２、１６１−ｍ−１  渡り配線
【図１】
2006106330.tif 000003
【図２】
2006106330.tif 000004
【図３】
2006106330.tif 000005
【図４】
2006106330.tif 000006
【図５】
2006106330.tif 000007
【図６】
2006106330.tif 000008
【図７】
2006106330.tif 000009
【図８】
2006106330.tif 000010